(57)【特許請求の範囲】
【請求項１】
ネットワークを介してデータの送受信が可能な第１種携帯端末からのユーザのログインを許可するための認証情報として、ユーザ個人の個人認証情報に、前記第１種携帯端末の識別情報と、前記第１種携帯端末とともに用いられる第２種携帯端末の識別情報とを対応付けて記憶する認証情報記憶部と、
ユーザが前記第１種携帯端末からネットワークを介してログイン要求した場合に、当該第１種携帯端末から送信された個人認証情報、前記第１種携帯端末の識別情報、および前記第２種携帯端末の識別情報に基づき、前記認証情報記憶部を参照して、送信された前記個人認証情報、前記第１種携帯端末の識別情報および前記第２種携帯端末の識別情報が前記認証情報記憶部に記憶された前記個人認証情報、前記第１種携帯端末の識別情報および前記第２種携帯端末の識別情報と一致する場合に、当該ユーザのログインを許可する認証処理部と、
前記認証処理部の処理により、前記個人認証情報が一致するが前記第１種携帯端末の識別情報が一致しない場合に、前記認証情報記憶部の当該ユーザの前記個人認証情報に対応付ける前記第１種携帯端末の識別情報として、今回送信された前記第１種携帯端末の識別情報で上書き更新し、または、
前記認証処理部の処理により、前記個人認証情報が一致するが前記第２種携帯端末の識別情報が一致しない場合に、前記認証情報記憶部の当該ユーザの前記個人認証情報に対応付ける前記第２種携帯端末の識別情報として、今回送信された前記第２種携帯端末の識別情報で上書き更新するＩＤ更新処理部と、を備え、
前記認証処理部は、前記ＩＤ更新処理部により前記認証情報記憶部が更新されたことにより、前記第１種携帯端末から送信された前記個人認証情報、前記第１種携帯端末の識別情報、および前記第２種携帯端末の識別情報が前記認証情報記憶部に記憶されたものと一致することになった場合に、当該ユーザのログインを許可する認証処理システム。
【請求項２】
請求項１に記載の認証処理システムにおいて、
前記認証情報記憶部、前記認証処理部、および前記ＩＤ更新処理部が設けられたデータセンタと、
前記第１種携帯端末と、
を含み、
前記第１種携帯端末および前記第２種携帯端末は、短距離無線通信でデータの送受信が可能に構成され、
前記第１種携帯端末は、前記ネットワークを介して前記データセンタにログイン要求する際に、短距離無線通信で、前記第２種携帯端末から当該第２種携帯端末の識別情報を取得し、前記ネットワークを介して当該第２種携帯端末の識別情報を前記個人認証情報および前記第１種携帯端末の識別情報とともに前記データセンタに送信する認証処理システム。
【請求項３】
請求項２に記載の認証処理システムにおいて、
前記第２種携帯端末は、携帯型バーコードリーダ端末である認証処理システム。
【請求項４】
請求項１から３いずれかに記載の認証処理システムにおいて、
前記ＩＤ更新処理部は、前記個人認証情報が一致するが前記第１種携帯端末の識別情報が一致しない場合に、当該第１種携帯端末に、当該ユーザの前記第１種携帯端末の識別情報を今回送信された前記第１種携帯端末の識別情報で上書きしてよいか否かを問い合わせ、当該第１種携帯端末から上書き許可があった場合に、前記認証情報記憶部の当該ユーザの前記個人認証情報に対応付ける前記第１種携帯端末の識別情報として、今回送信された前記第１種携帯端末の識別情報で上書き更新する認証処理システム。
【請求項５】
請求項１から４いずれかに記載の認証処理システムにおいて、
情報を記憶する情報記憶部と、
前記情報記憶部から読み出した情報を前記第１種携帯端末で表示したり、当該情報記憶部に書き込むための情報を前記第１種携帯端末で取得するためのアプリケーションプログラムを記憶するプログラム記憶部と、
前記ＩＤ更新処理部により前記認証情報記憶部が更新されたことにより、前記第１種携帯端末から送信された前記個人認証情報および前記第１種携帯端末の識別情報が前記認証情報記憶部に記憶されたものと一致することになった場合に、当該第１種携帯端末に、前記プログラム記憶部に記憶された前記アプリケーションプログラムを提供するプログラム提供部と、
をさらに含む認証処理システム。
【請求項６】
請求項５に記載の認証処理システムにおいて、
前記第１種携帯端末は、前記アプリケーションプログラムがインストールされる端末であって、
前記認証情報記憶部において、前記個人認証情報と前記第１種携帯端末の識別情報とは、１：１で対応付けられている認証処理システム。
【請求項７】
請求項１から６いずれかに記載の認証処理システムにおいて、
前記第１種携帯端末は、携帯電話端末である認証処理システム。
【請求項８】
コンピュータを、
ネットワークを介してデータの送受信が可能な第１種携帯端末からのユーザのログインを許可するための認証情報として、ユーザ個人の個人認証情報に、前記第１種携帯端末の識別情報と、前記第１種携帯端末とともに用いられる第２種携帯端末の識別情報とを対応付けて記憶する認証情報記憶手段、
ユーザが前記第１種携帯端末からネットワークを介してログイン要求した場合に、当該第１種携帯端末から送信された個人認証情報、当該第１種携帯端末の識別情報、および前記第２種携帯端末の識別情報に基づき、前記認証情報記憶手段を参照して、送信された前記個人認証情報、前記第１種携帯端末の識別情報および前記第２種携帯端末の識別情報が前記認証情報記憶手段に記憶された前記個人認証情報、前記第１種携帯端末の識別情報および前記第２種携帯端末の識別情報と一致する場合に、当該ユーザのログインを許可する認証処理手段、
前記認証処理手段の処理により、前記個人認証情報が一致するが前記第１種携帯端末の識別情報が一致しない場合に、前記認証情報記憶手段の当該ユーザの前記個人認証情報に対応付ける前記第１種携帯端末の識別情報として、今回送信された前記第１種携帯端末の識別情報で上書き更新する、または、前記認証処理手段の処理により、前記個人認証情報が一致するが前記第２種携帯端末の識別情報が一致しない場合に、前記認証情報記憶手段の当該ユーザの前記個人認証情報に対応付ける前記第２種携帯端末の識別情報として、今回送信された前記第２種携帯端末の識別情報で上書き更新するＩＤ更新処理手段、
として機能させ、
前記認証処理手段は、前記ＩＤ更新処理手段により前記認証情報記憶手段が更新されたことにより、前記第１種携帯端末から送信された前記個人認証情報、前記第１種携帯端末の識別情報、および前記第２種携帯端末の識別情報が前記認証情報記憶手段に記憶されたものと一致することになった場合に、当該ユーザのログインを許可する認証処理プログラム。
【発明の詳細な説明】
【技術分野】
【０００１】
本発明は、認証処理システムおよび認証処理プログラムに関する。
【背景技術】
【０００２】
携帯電話端末等の携帯端末から、所定のサーバにアクセスする際に、セキュリティを高めるために、ユーザのユーザＩＤと、携帯端末の携帯端末ＩＤとを送信して、それらが一致する場合に、サーバの情報へのアクセスを許可する認証システムが知られている（特許文献１（特開２００９−１６９７７５号公報））。
【先行技術文献】
【特許文献】
【０００３】
【特許文献１】特開２００９−１６９７７５号公報
【発明の概要】
【発明が解決しようとする課題】
【０００４】
しかし、このような設定とすると、ユーザが自分の携帯端末を変更した場合に、携帯端末ＩＤを管理者に通知する等して携帯端末ＩＤを事前に設定しておかなければ、アクセスが許可されなくなる。そのため、ユーザにとって煩雑であった。一方、たとえば会社等で、従業員に携帯電話端末を貸し出すようなこともある。このような場合に、従業員間で携帯電話端末の貸し借り等が行われると、誰がどの携帯電話端末を所有しているのか管理できなかったり、セキュリティ上の問題が生じることがあった。
【０００５】
本発明は上記事情に鑑みてなされたものであり、その目的とするところは、携帯端末からのユーザのログインを許可するための認証情報としてユーザ個人の個人認証情報および携帯端末ＩＤを用いるとともに、ユーザが携帯端末を変更した場合の認証情報の更新処理を容易にする技術を提供することにある。
【課題を解決するための手段】
【０００６】
本発明によれば、
ネットワークを介してデータの送受信が可能な第１種携帯端末からのユーザのログインを許可するための認証情報として、ユーザ個人の個人認証情報および前記第１種携帯端末の識別情報を対応付けて記憶する認証情報記憶部と、
ユーザが前記第１種携帯端末からネットワークを介してログイン要求した場合に、当該第１種携帯端末から送信された個人認証情報および当該第１種携帯端末の識別情報に基づき、前記認証情報記憶部を参照して、送信された前記個人認証情報および前記第１種携帯端末の識別情報が前記認証情報記憶部に記憶された前記個人認証情報および前記第１種携帯端末の識別情報と一致する場合に、当該ユーザのログインを許可する認証処理部と、
前記認証処理部の処理により、前記個人認証情報が一致するが前記第１種携帯端末の識別情報が一致しない場合に、前記認証情報記憶部の当該ユーザの前記個人認証情報に対応付ける前記第１種携帯端末の識別情報として、今回送信された前記第１種携帯端末の識別情報で上書き更新するＩＤ更新処理部と、
を含み、
前記認証処理部は、前記ＩＤ更新処理部により前記認証情報記憶部が更新されたことにより、前記第１種携帯端末から送信された前記個人認証情報および前記第１種携帯端末の識別情報が前記認証情報記憶部に記憶されたものと一致することになった場合に、当該ユーザのログインを許可する認証処理システムが提供される。
【０００７】
本発明によれば、
コンピュータを、
ネットワークを介してデータの送受信が可能な第１種携帯端末からのユーザのログインを許可するための認証情報として、ユーザ個人の個人認証情報および前記第１種携帯端末の識別情報を対応付けて記憶する認証情報記憶手段、
ユーザが前記第１種携帯端末からネットワークを介してログイン要求した場合に、当該第１種携帯端末から送信された個人認証情報および当該第１種携帯端末の識別情報に基づき、前記認証情報記憶手段を参照して、送信された前記個人認証情報および前記第１種携帯端末の識別情報が前記認証情報記憶手段に記憶された前記個人認証情報および前記第１種携帯端末の識別情報と一致する場合に、当該ユーザのログインを許可する認証処理手段、
前記認証処理手段の処理により、前記個人認証情報が一致するが前記第１種携帯端末の識別情報が一致しない場合に、前記認証情報記憶手段の当該ユーザの前記個人認証情報に対応付ける前記第１種携帯端末の識別情報として、今回送信された前記第１種携帯端末の識別情報で上書き更新するＩＤ更新処理手段、
として機能させ、
前記認証処理手段は、前記ＩＤ更新処理手段により前記認証情報記憶手段が更新されたことにより、前記第１種携帯端末から送信された前記個人認証情報および前記第１種携帯端末の識別情報が前記認証情報記憶手段に記憶されたものと一致することになった場合に、当該ユーザのログインを許可する認証処理プログラムが提供される。
【０００８】
この構成によれば、たとえばユーザが第１種携帯端末を買い換えた場合等、ユーザが以前と異なる第１種携帯端末を用いてログインしようする際、ユーザの個人認証情報が一致していれば、新たな第１種携帯端末の識別情報がそのユーザの個人認証情報に対応付けられることになる。これにより、ユーザは、第１種携帯端末の識別情報を管理者に通知する等の処理をすることなく、新たな第１種携帯端末で、ログインを行うことができる。一方、新たな第１種携帯端末の識別情報がそのユーザの個人認証情報に対応付けられる際、以前の第１種携帯端末の識別情報は、上書き更新される。そのため、ユーザは、以前の第１種携帯端末では、ログインできなくなる。このように、個人認証情報と第１種携帯端末の識別情報とを１：１で対応付けることにより、ユーザが複数の第１種携帯端末からログインするようなことを防ぐことができ、情報が分散されるのを防ぐことができる。また、現在各ユーザが用いている第１種携帯端末を把握することもできる。これにより、たとえば第１種携帯端末を会社が従業員に貸し出しているような場合に、どのユーザがどの第１種携帯端末を用いているかの管理を行うこともできる。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、携帯端末からのユーザのログインを許可するための認証情報として個人認証情報および携帯端末の識別情報を用いるとともに、ユーザが携帯端末を変更した場合の認証情報の更新処理を容易にすることができる。
【図面の簡単な説明】
【００１１】
【図１】本発明の実施の形態における認証システムが用いられるデータセンタの構成の一例を示すブロック図である。
【図２】本発明の実施の形態における社員情報記憶部の構成の一例を示す図である。
【図３】本発明の実施の形態における棚割情報記憶部の構成の一例を示す図である。
【図４】本発明の実施の形態におけるアクセス範囲設定記憶部の構成の一例を示す図である。
【図５】本発明の実施の形態において、携帯電話端末からデータセンタにログインする際の携帯電話端末およびデータセンタの処理手順の一例を示すフローチャートである。
【図６】本発明の実施の形態における社員情報記憶部の構成の一例を示す図である。
【図７】本発明の実施の形態におけるデータセンタを含むネットワーク構成の一例を示す模式図である。
【図８】本発明の実施の形態における携帯電話端末およびアダプタの構成を示すブロック図である。
【図９】本発明の実施の形態におけるアダプタの構成の一例を詳細に示す図である。
【図１０】本発明の実施の形態におけるアダプタの構成の一例を詳細に示す図である。
【図１１】本発明の実施の形態において、商品情報を取得する際の携帯電話端末およびアダプタの処理手順の一例を示すフローチャートである。
【図１２】本発明の実施の形態における携帯電話端末のディスプレイに表示される画面の例を示す図である。
【図１３】本実施の形態において、アダプタおよび携帯電話端末を用いてバーコードを読み取る手順を示す模式図である。
【図１４】本発明の実施の形態における社員情報記憶部の構成の一例を示す図である。
【図１５】本発明の実施の形態において、携帯電話端末からデータセンタにログインする際の携帯電話端末とアダプタとの間の処理手順の一例を示すフローチャートである。
【図１６】本発明の実施の形態において、携帯電話端末からデータセンタにログインする際の携帯電話端末とデータセンタとの間の処理手順の一例を示すフローチャートである。
【図１７】本発明の実施の形態における社員情報記憶部の構成の一例を示す図である。
【発明を実施するための形態】
【００１２】
以下、本発明の実施の形態について、図面を用いて説明する。尚、すべての図面において、同様の構成要素には同様の符号を付し、適宜説明を省略する。
【００１３】
以下の実施の形態において、認証処理システムが、ネットワークを介してデータの送受信が可能な第１種携帯端末から所定の情報を記憶する情報記憶部に記憶された情報を読み出したり、当該情報記憶部に情報を書き込むために、データセンタにログインする際に用いられる例を説明する。以下では、第１種携帯端末は、携帯電話端末とすることができる。
【００１４】
（第１の実施の形態）
図１は、本実施の形態における認証システムが用いられるデータセンタ３００の構成の一例を示すブロック図である。
データセンタ３００は、送受信部３０２、認証処理部３０４、ＩＤ更新処理部３０６、棚割情報読出書込処理部３０８、プログラム提供部３１０、棚割情報記憶部３２０（情報記憶部）、社員情報記憶部３２２（認証情報記憶部）、プログラム記憶部３２４、およびアクセス範囲設定記憶部３２６を含む。データセンタ３００の構成は、一つのサーバにより構成されていてもよく、また複数の端末がＬＡＮ等のネットワークで接続された構成とすることもできる。
【００１５】
本実施の形態において、データセンタ３００は、たとえば複数の店舗に配置された什器の棚割情報を管理するために、種々の携帯端末（以下、代表して携帯電話端末１００と示す。）からネットワーク３５０を介したアクセスを受け付ける。ここで、店舗は、たとえばコンビニエンスストア等の小売店舗とすることができる。一例として、棚割情報は、たとえば什器の構成と当該什器に陳列された商品の商品情報とが対応付けられた構成とすることができる。
【００１６】
棚割情報記憶部３２０は、このような棚割情報を記憶する。棚割情報読出書込処理部３０８は、ログインが許可された携帯電話端末１００に棚割情報記憶部３２０から読み出した棚割情報を提供したり、ログインが許可された携帯電話端末１００から送信された棚割情報を棚割情報記憶部３２０に書き込む処理を行う。
【００１７】
プログラム記憶部３２４は、棚割情報読出書込処理部３０８が棚割情報記憶部３２０から読み出した棚割情報を携帯電話端末１００で表示したり、棚割情報記憶部３２０に書き込むための棚割情報を携帯電話端末１００で取得するためのアプリケーションプログラムを記憶する。プログラム提供部３１０は、プログラム記憶部３２４に記憶されたアプリケーションプログラム等のプログラムを携帯電話端末１００に提供する。
【００１８】
本実施の形態において、たとえば作業員は、店舗に実際に配置された商品の商品情報を取得するために、携帯電話端末１００を持って店舗に行く。そして店舗で商品の陳列状態等を確認して携帯電話端末１００に棚割情報を入力し、その棚割情報を携帯電話端末１００からネットワーク３５０を介してデータセンタ３００に送信する。
【００１９】
送受信部３０２は、ネットワーク３５０を介して携帯電話端末１００との間でデータの送受信を行う。ネットワーク３５０は、たとえばインターネット、イントラネット、携帯電話通信網等の組合せとすることができる。
【００２０】
社員情報記憶部３２２は、携帯電話端末１００からのユーザのログインを許可するための認証情報として、ユーザ個人の個人認証情報および携帯端末ＩＤ（第１種携帯端末の識別情報）を対応付けて記憶する。ここで、個人認証情報は、たとえばユーザＩＤおよびパスワードにより構成することができる。本実施の形態において、ユーザＩＤは、たとえば社員コードとすることができる。
【００２１】
認証処理部３０４は、ユーザが携帯電話端末１００からネットワーク３５０を介してログイン要求を行った場合に、携帯電話端末１００から送信された個人認証情報および携帯端末ＩＤに基づき、社員情報記憶部３２２を参照して認証処理を行う。具体的には、携帯電話端末１００から送信された個人認証情報および携帯端末ＩＤが社員情報記憶部３２２に記憶された個人認証情報および携帯端末ＩＤと一致するか否かを判断し、一致する場合に、当該ユーザからのログインを許可する。
【００２２】
ＩＤ更新処理部３０６は、認証処理部３０４の処理により、個人認証情報が一致するが携帯端末ＩＤが一致しない場合に、社員情報記憶部３２２の当該ユーザの個人認証情報に対応付ける携帯端末ＩＤとして、今回送信された携帯端末ＩＤで上書き更新する。
【００２３】
認証処理部３０４は、ＩＤ更新処理部３０６により社員情報記憶部３２２が更新されたことにより、携帯電話端末１００から送信された個人認証情報および携帯端末ＩＤが社員情報記憶部３２２に記憶されたものと一致することになった場合に、当該ユーザのログインを許可する。アクセス範囲設定記憶部３２６は、職種毎に、ログインが許可された場合に、読み出しおよび書き込みが可能なデータの範囲の設定を記憶する。
【００２４】
図２は、本実施の形態における社員情報記憶部３２２の構成の一例を示す図である。
社員情報記憶部３２２は、社員コード欄、職種欄、エリアコード欄、パスワード欄、携帯端末ＩＤ欄等を含む。ここで、本実施の形態においては、社員コードが、認証処理部３０４が認証処理を行う際の個人認証情報のユーザＩＤとすることができる。
【００２５】
たとえば、社員コード「ａａａ」の社員は、職種が「作業員」で、エリアコードが「０００１」、パスワードが「１１１１」、携帯端末ＩＤが「１００ａ」となっている。同様に、社員コード「ｂｂｂ」の社員は、職種が「作業員」で、エリアコードが「０００２」、パスワードが「２２２２」、携帯端末ＩＤが「２００ａ」となっている。また、たとえば、社員コード「ｄｄｄ」の社員は、職種が「マネージャ」で、エリアコードが「０００１〜０００ｎ」、パスワードが「３３３３」、携帯端末ＩＤが「３００ａ」となっている。本実施の形態において、各個人認証情報には、１つの携帯端末ＩＤが対応付けられており、一人のユーザに対しては、一つの携帯電話端末１００が利用可能な構成となっている。
【００２６】
図３は、本実施の形態における棚割情報記憶部３２０の構成の一例を示す図である。
棚割情報記憶部３２０は、エリアコード欄、店コード欄、棚割情報欄、売上情報欄等を含む。ここで、たとえばエリアコード「０００１」には、店コード「１」、「２」、「３」等の店舗が含まれる。また、各店コードには、それぞれの棚割情報および売上情報等が対応付けられている。
【００２７】
図４は、本実施の形態におけるアクセス範囲設定記憶部３２６の構成の一例を示す図である。
アクセス範囲設定記憶部３２６は、職種欄、読出可欄、書込可欄等を含む。ここで、たとえば職種が「作業員」の場合、読み出しおよび書き込みができるのは、自分の担当エリアの棚割情報のみとなっている。一方、職種が「マネージャ」の場合、全エリアの棚割情報および売上情報が読み出せ、自分の担当エリアの棚割情報および売上情報を書き込めるようになっている。
【００２８】
図２から図４を参照すると、たとえば社員コード「ａａａ」の社員が認証されてログインが許可された場合、この社員は、自分が担当するエリアコード「０００１」の店舗の棚割情報のみを読み出しおよび書き込みできる。また、たとえば社員コード「ｄｄｄ」の社員が認証されてログインが許可された場合、この社員は、全エリアの棚割情報および売上情報を読み出すことができ、自分の担当するエリアコード「０００１」〜「０００ｎ」の店舗の棚割情報および売上情報を書き込むことができる。
【００２９】
図５は、本実施の形態において、携帯電話端末１００からデータセンタ３００にログインする際の携帯電話端末１００およびデータセンタ３００の処理手順の一例を示すフローチャートである。
まず、携帯電話端末１００のユーザが、携帯電話端末１００からデータセンタ３００へのログイン指示を行うと、携帯電話端末１００は、データセンタ３００にログイン要求を行う（ステップＳ１０２）。このとき、携帯電話端末１００からは、ユーザＩＤ、パスワード（ＰＷ）、および携帯端末ＩＤが送信される。
【００３０】
たとえば、携帯電話端末１００のユーザが、携帯電話端末１００からデータセンタ３００へのログイン指示を行うと、携帯電話端末１００のディスプレイには、ログイン画面が表示され、ユーザが自分のユーザＩＤおよびパスワードを入力するようにすることができる。なお、携帯電話端末１００の携帯端末ＩＤは、ユーザが入力するのではなく、携帯電話端末１００とデータセンタ３００との間のコネクション確立の際に送信されるデータに含まれるものをデータセンタ３００の認証処理部３０４が取得することができる。また、たとえばプログラム記憶部３２４に記憶されたアプリケーションプログラムに、ログイン要求時に自端末の携帯端末ＩＤを送信する機能を含めておき、当該アプリケーションプログラムを携帯電話端末１００にインストールしておき、携帯電話端末１００からデータセンタ３００に送信するようにすることもできる。
【００３１】
データセンタ３００において、認証処理部３０４は、送受信部３０２を介してユーザＩＤ、パスワード、および携帯端末ＩＤを取得し、社員情報記憶部３２２を参照して、これらが社員情報記憶部３２２に記憶されたものと一致するか否かを判断する（ステップＳ１０４）。ここで、全て一致したら（ステップＳ１０４のＹＥＳ）、ユーザが認証されたとして、ログインを許可する（ステップＳ１１８）。
【００３２】
一方、ステップＳ１０４で全て一致するのでない場合（ステップＳ１０４のＮＯ）、認証処理部３０４は、個人認証情報（ユーザＩＤおよびパスワード）が一致するか否かを判断する（ステップＳ１０６）。ここで、個人認証情報が一致する場合（ステップＳ１０６のＹＥＳ）、携帯端末ＩＤのみが一致しないということであるので、認証処理部３０４は、送受信部３０２を介して、携帯電話端末１００に、社員情報記憶部３２２に登録する携帯端末ＩＤを更新することを問い合わせるメッセージを送信する（ステップＳ１０８）。これに対し、ユーザが携帯端末ＩＤを更新する指示を行った場合（ステップＳ１１０、ステップＳ１１２のＹＥＳ）、ＩＤ更新処理部３０６は、社員情報記憶部３２２の該当する携帯端末ＩＤを更新する（ステップＳ１１４）。
【００３３】
この後、プログラム提供部３１０は、プログラム記憶部３２４から棚割情報を表示および入力するためのアプリケーションプログラムを読み出して、携帯電話端末１００に送信する（ステップＳ１１６）。これにより、携帯電話端末１００において、棚割情報を表示および入力する処理を行えるようになる。
【００３４】
以上の処理により、ＩＤ更新処理部３０６により社員情報記憶部３２２が更新されたことにより、携帯電話端末１００から送信された個人認証情報および携帯端末ＩＤが社員情報記憶部３２２に記憶されたものと一致することになる。そのため、認証処理部３０４は、携帯電話端末１００のログインを許可する（ステップＳ１１８）。なお、図２から図４を参照して説明したように、ログインが許可された後も、棚割情報読出書込処理部３０８は、アクセス範囲設定記憶部３２６の設定に基づき、ユーザに応じて、設定されたアクセス範囲のデータの読み出しおよび書き込みが行われるようにする。
【００３５】
一方、ステップＳ１０６において個人認証情報が一致しない場合（ステップＳ１０６のＮＯ）、およびステップＳ１１２において携帯電話端末１００からの携帯端末ＩＤの更新指示がない場合（ステップＳ１１２のＮＯ）、認証処理部３０４は、携帯電話端末１００にログイン不可通知を行う（ステップＳ１１９）。
【００３６】
ＩＤ更新処理部３０６が社員情報記憶部３２２を上書き更新する手順を図６を参照して説明する。
図６（ａ）は、携帯電話端末１００のユーザがログイン要求を行う前に社員情報記憶部３２２に記憶されている情報を示す。
ここで、たとえば社員コード「ａａａ」の社員がユーザＩＤ「ａａａ」、およびパスワード「１１１１」を入力して、たとえば携帯端末ＩＤが「１００ｂ」の携帯電話端末１００からログイン要求を行ったとする。この場合、ユーザＩＤ「ａａａ」、およびパスワード「１１１１」は、社員情報記憶部３２２に記憶されたものと一致するが、携帯端末ＩＤが社員情報記憶部３２２に記憶された「１００ａ」と一致しない。そのため、認証処理部３０４は、図５のステップＳ１０６で、個人認証情報が一致するが、携帯端末ＩＤのみが一致しないと判断し（ステップＳ１０６のＹＥＳ）、携帯電話端末１００に、携帯端末ＩＤの更新メッセージを送信する（ステップＳ１０８）。これに対し、携帯電話端末１００からの携帯端末ＩＤの更新指示があると（ステップＳ１１０、ステップＳ１１２のＹＥＳ）、ＩＤ更新処理部３０６は、今回送信された携帯端末ＩＤ「１００ｂ」で、もともとの携帯端末ＩＤ「１００ａ」を上書き更新する（ステップＳ１１４）。図６（ｂ）は、この状態を示す図である。これにより、このユーザの個人認証情報には、携帯端末ＩＤ「１００ｂ」が対応付けられることになる。
【００３７】
また、以上の説明では、社員情報記憶部３２２に既に携帯端末ＩＤが記憶された場合を例として説明したが、ユーザが初回にデータセンタ３００にログイン要求する場合等、社員情報記憶部３２２に携帯端末ＩＤが記憶されていない場合も、当該ユーザが入力した個人認証情報が社員情報記憶部３２２に記憶されたものと一致する場合は、ステップＳ１０６でＹＥＳの処理となり、以下同様の処理を行うようにすることができる。
【００３８】
また、以上の例では、認証情報記憶部が社員情報記憶部３２２に含まれる例を示したが、認証情報記憶部は、社員情報記憶部３２２とは別の記憶部に設けることもできる。たとえば、パスワード等の情報は機密性の高い情報であるので、他の記憶部に記憶しておくことができる。
【００３９】
さらに、他の例において、ステップＳ１０８からステップＳ１１２の処理は処理して、携帯電話端末１００のユーザに問い合わせることなく、携帯端末ＩＤを上書き更新処理することもできる。
【００４０】
次に、本実施の形態における認証処理システムの効果を説明する。
本実施の形態において、たとえばユーザが携帯電話端末１００を買い換えた場合等、ユーザが以前と異なる携帯電話端末１００を用いてログインしようする際、ユーザの個人認証情報が一致していれば、新たな携帯電話端末１００の識別情報がそのユーザの個人認証情報に対応付けられることになる。これにより、ユーザは、携帯端末ＩＤを管理者に通知する等の処理をすることなく、新たな携帯電話端末１００で、ログインを行うことができる。一方、新たな携帯電話端末１００の識別情報がそのユーザの個人認証情報に対応付けられる際、以前の携帯電話端末１００の識別情報は、上書き更新される。そのため、ユーザは、以前の携帯電話端末１００では、ログインできなくなる。このように、個人認証情報と携帯電話端末１００の識別情報とを１：１で対応付けることにより、ユーザが複数の携帯電話端末１００からログインするようなことを防ぐことができ、情報が分散されるのを防ぐことができる。また、現在各ユーザが用いている携帯電話端末１００を把握することもできる。これにより、たとえば携帯電話端末１００を会社が従業員に貸し出しているような場合に、どのユーザがどの携帯電話端末１００を用いているかの管理を行うこともできる。
【００４１】
（第２の実施の形態）
本実施の形態において、作業員が店舗に実際に配置された商品の商品情報を取得する際の手順が第１の実施の形態と異なる。
【００４２】
図７は、本実施の形態におけるデータセンタ３００を含むネットワーク構成の一例を示す模式図である。
ここでは、店舗には什器４１０が配置されている。また、携帯電話端末１００は、アダプタ２００（第２種携帯端末）を介して店舗に配置された什器に陳列された商品の商品情報等を取得する構成とすることができる。
【００４３】
ここで、たとえば什器４１０には、商品毎に商品のプライスタグが設けられている。プライスタグには、その商品の商品情報を含むたとえばバーコードやＲＦＩＤタグ等のラベルが設けられている。商品情報は、たとえば商品の名称（銘柄）や商品コード等、その商品を特定するための情報を含む。アダプタ２００は、非接触で、たとえばバーコードやＲＦＩＤタグ等のラベルから情報を読み取る機能を有する。本実施の形態において、ラベルは、たとえば二次元バーコードとする。アダプタ２００は、二次元バーコードを光学的に読み取り可能なバーコードリーダを含む。
【００４４】
作業員は、たとえばバーコードリーダを有するアダプタ２００を用いて、商品や什器４１０に付されたバーコードを読み取る。本実施の形態において、アダプタ２００と携帯電話端末１００とは短距離無線通信でデータの送受信が可能に構成されている。携帯電話端末１００は、アダプタ２００からアダプタ２００が読み取った情報を短距離無線通信で取得する。作業員は、その商品情報を含む棚割情報をデータセンタ３００に送信する。
【００４５】
図８は、本実施の形態における携帯電話端末１００およびアダプタ２００の構成を示すブロック図である。
本実施の形態において、携帯電話端末１００とアダプタ２００とは、非接触型ＩＣカード通信でデータの送受信を行う。携帯電話端末１００は、非接触型ＩＣカード機能を有する。アダプタ２００は、非接触ＩＣカードリーダライタ２２０（非接触型ＩＣカードリーダライタ機能）を有する。ここで、非接触型ＩＣカード通信は、ＦｅｌｉＣａ（フェリカ：登録商標）とすることができる。この場合、携帯電話端末１００は、ＦｅｌｉＣａチップを有することができる。アダプタ２００の非接触ＩＣカードリーダライタ２２０は、ＦｅｌｉＣａリーダライタ（ＦｅｌｉＣａリーダライタ機能）とすることができる。また、アダプタ２００は、バーコードリーダ２２２および制御部２２４を含む。
【００４６】
携帯電話端末１００は、送受信部１０２、表示処理部１０４、入力受付部１０６、登録部１０８、商品情報取得部１１０、ログイン制御部１１２および棚割情報記憶部１２０を含む。
送受信部１０２は、ネットワーク３５０を介してデータセンタ３００との間でデータの送受信を行う。入力受付部１０６は、たとえば操作キー等の操作部（不図示）を介してユーザからの指示を受け付ける。表示処理部１０４は、ディスプレイ等の表示部（不図示）に、各種情報を表示する。ログイン制御部１１２は、携帯電話端末１００のユーザがデータセンタ３００にログインする際の処理を制御する。
【００４７】
棚割情報記憶部１２０は、棚割情報を記憶する。商品情報取得部１１０は、ＦｅｌｉＣａチップ等の非接触型ＩＣカード機能を含み、アダプタ２００から商品情報等のデータを取得する。登録部１０８は、商品情報取得部１１０が商品情報を取得すると、当該商品情報を当該什器を特定する情報等に対応付けて棚割情報記憶部１２０に記憶する。本実施の形態において、携帯電話端末１００の登録部１０８、商品情報取得部１１０、ログイン制御部１１２、および棚割情報記憶部１２０等の機能は、データセンタ３００のプログラム記憶部３２４に記憶され、プログラム提供部３１０から提供されるアプリケーションプログラムにより実現することができる。
【００４８】
図９および図１０は、アダプタ２００の構成の一例を詳細に示す図である。
図９はアダプタ２００の斜視図、図１０（ａ）はアダプタ２００の平面図、図１０（ｂ）はアダプタ２００の側面図である。
アダプタ２００は、電源ボタン２０２、電源ランプ２０４、バーコード用ランプ２０６、携帯電話用ランプ２０８、携帯電話端末設置部２１０、説明図２１２、およびバーコード読取窓２１４を含む。
電源ボタン２０２は、アダプタ２００の電源（不図示）に接続されており、電源ボタン２０２を押すことでアダプタ２００の電源が入る。電源が入ると、電源ランプ２０４が点灯する。また、アダプタ２００がバーコードを読み取り中には、バーコード用ランプ２０６が点灯する。アダプタ２００が携帯電話端末１００と通信中には、携帯電話用ランプ２０８が点灯する。携帯電話端末設置部２１０は、アダプタ２００を携帯電話端末１００と通信させる際に携帯電話端末１００を設置する設置台となる部分である。ここでは図示していないが、アダプタ２００は、携帯電話端末設置部２１０部分に、携帯電話端末１００の非接触型ＩＣカードと通信する非接触ＩＣカードリーダライタ２２０のアンテナを保持している。説明図２１２には、携帯電話端末１００をアダプタ２００の携帯電話端末設置部２１０に設置して、携帯電話端末１００とアダプタ２００との間で通信を行う際の手順や説明図が記載されている。
【００４９】
図１１は、本実施の形態において、什器４１０に陳列された商品の商品情報を取得する際の携帯電話端末１００およびアダプタ２００の処理手順の一例を示すフローチャートである。
【００５０】
本実施の形態において、商品情報を取得する作業員は、まず、商品情報を取得したい什器の現在の棚割情報をデータセンタ３００から取得するために、データセンタ３００にログインする（ステップＳ２００）。ログイン処理については、後述する。
【００５１】
データセンタ３００で認証され、ログインが許可されると、第１の実施の形態で説明したように、データセンタ３００は、当該作業員にアクセス可能に設定された棚割情報を携帯電話端末１００に送信する。携帯電話端末１００において、送受信部１０２は棚割情報を取得し、登録部１０８は、その情報を棚割情報記憶部１２０に記憶する（ステップＳ２０２）。
【００５２】
次いで、作業員は、携帯電話端末１００の操作部等を用いて、たとえば棚割情報から、商品情報を取得したい什器やその什器の棚等を特定して、商品情報取得指示を行う。商品情報取得指示が行われると（ステップＳ２０４のＹＥＳ）、登録部１０８は、商品情報取得部１１０を介してアダプタ２００に通信開始およびバーコード読取指示を行う（ステップＳ２０６）。
【００５３】
このとき、表示処理部１０４は、携帯電話端末１００のディスプレイにバーコード読み取り手順の説明画面を表示することができる。
【００５４】
図１２は、携帯電話端末１００のディスプレイに表示される、説明画面５１６の例を示す図である。また、図１３は、本実施の形態において、アダプタ２００および携帯電話端末１００を用いてバーコードを読み取る手順を示す模式図である。
【００５５】
まず、図１２（ａ）に示すように、携帯電話端末１００のディスプレイには、「バーコードを読み取ります。携帯をアダプタに置き、アダプタの電源ボタンを押して下さい。」等のメッセージが表示される。作業員は、携帯電話端末１００をアダプタ２００の携帯電話端末設置部２１０に設置し（図１３（ａ））、アダプタ２００の電源ボタン２０２を押して電源を入れる（図１３（ｂ））。
【００５６】
アダプタ２００の電源が入ると、携帯電話端末１００とアダプタ２００との間での通信が開始され、アダプタ２００のバーコードリーダ２２２の読取マーカが点灯する。これにより、アダプタ２００のバーコード読取窓２１４から読取マーカが光り出す（図１３（ｃ））。この状態でバーコード読取可能となる。
【００５７】
ここで、図１２（ｂ）に示すように、携帯電話端末１００のディスプレイには、「バーコードの読み取りが可能です。バーコードを読み取って下さい。」等のメッセージが表示される。
【００５８】
この後、作業員がアダプタ２００のバーコード読取窓２１４を目的のバーコードに近づけ、バーコードリーダ２２２がバーコードを認識すると、バーコードが読み取られる（図１１のステップＳ２０８のＹＥＳ）。ここで、たとえば二次元バーコードを読み取る場合、バーコードからの距離を３ｃｍ程度とすることができる。アダプタ２００において、バーコードリーダ２２２がバーコードを読み取ると、制御部２２４はそのデータを非接触ＩＣカードリーダライタ２２０を介して携帯電話端末１００に送信する（ステップＳ２１０）。なお、たとえばバーコードの読み取りが正しく行えない場合、携帯電話端末１００の表示処理部１０４は、エラー通知等を表示することができる。
【００５９】
携帯電話端末１００において、商品情報取得部１１０が、アダプタ２００から送信された商品情報を取得すると（ステップＳ２１２のＹＥＳ）、登録部１０８は、商品情報取得部１１０が取得した商品情報を、対応する什器に陳列された商品の商品情報として、棚割情報記憶部１２０に記憶する（ステップＳ２１４）。
【００６０】
この後、携帯電話端末１００は、商品情報の取得を終了するか否かを判断し（ステップＳ２１６）、商品情報の取得を続ける場合（ステップＳ２１６のＮＯ）、次の商品情報取得指示を待つ（ステップＳ２１８）。次の商品情報取得指示が行われると（ステップＳ２１８のＹＥＳ）、登録部１０８は、商品情報取得部１１０を介してアダプタ２００にバーコード読取指示を行う（ステップＳ２２０）。この間、たとえば携帯電話端末１００とアダプタ２００を離さないようにすることで、携帯電話端末１００とアダプタ２００との間の通信が維持されるようにすることができる。
【００６１】
ステップＳ２１６で商品情報の取得を終了した場合（ステップＳ２１６のＹＥＳ）、登録部１０８は、棚割情報記憶部１２０に記憶された棚割情報を送受信部１０２を介してデータセンタ３００に送信する（ステップＳ２２２）。
【００６２】
なお、図１１に示した手順において、ステップＳ２００で一度ログインすると、ログイン状態が維持される。ユーザがログアウト指示を行うか、または所定の時間、操作が行われなかった場合等には、ログアウトされる。
【００６３】
次に、本実施の形態において、携帯電話端末１００からデータセンタ３００にログインする際のログイン処理について説明する。
【００６４】
本実施の形態においても、データセンタ３００は、図１に示したのと同様の構成とすることができる。ただし、本実施の形態において、社員情報記憶部３２２の構成が図２に示したのと異なる。
【００６５】
図１４は、本実施の形態におけるデータセンタ３００の社員情報記憶部３２２の構成の一例を示す図である。本実施の形態において、社員情報記憶部３２２は、図２に示した構成に加えて、アダプタＩＤ（第２種携帯端末の識別情報）欄も含む。
【００６６】
図１５は、本実施の形態において、携帯電話端末１００からデータセンタ３００にログインする際の携帯電話端末１００とアダプタ２００との間の処理手順の一例を示すフローチャートである。
まず、たとえば作業員が、携帯電話端末１００からデータセンタ３００へのログイン開始指示を行うと（ステップＳ２３０のＹＥＳ）、ログイン制御部１１２は、商品情報取得部１１０を介してアダプタ２００に通信開始およびＩＤ取得指示を行う（ステップＳ２３２）。このとき、携帯電話端末１００のディスプレイにアダプタ２００との通信を行う手順の説明画面を表示することができる。この説明画面は、図１２（ａ）を参照して説明したのと類似の画面とすることができ、たとえば「アダプタと通信します。携帯をアダプタに置き、アダプタの電源ボタンを押して下さい。」等のメッセージが表示されるようにすることができる。
【００６７】
ここで、アダプタ２００からアダプタ２００のアダプタＩＤが送信されると（ステップＳ２３２）、携帯電話端末１００のログイン制御部１１２は、データセンタ３００にログイン要求を行う（ステップＳ２３２）。本実施の形態において、このとき、携帯電話端末１００からは、ユーザＩＤ、パスワード、および携帯端末ＩＤに加えて、アダプタ２００のアダプタＩＤも送信される。
【００６８】
図１６は、本実施の形態において、携帯電話端末１００からデータセンタ３００にログインする際の携帯電話端末１００とデータセンタ３００との間の処理手順の一例を示すフローチャートである。この手順は、第１の実施の形態で図５を参照して説明したのと類似とすることができ、以下では異なる点のみ説明する。
【００６９】
まず、ステップＳ１０２において、携帯電話端末１００から、ユーザＩＤ、パスワード、および携帯端末ＩＤに加えて、アダプタ２００のアダプタＩＤも送信される。
【００７０】
データセンタ３００において、認証処理部３０４は、送受信部３０２を介してユーザＩＤ、パスワード、携帯端末ＩＤ、およびアダプタＩＤを取得し、社員情報記憶部３２２を参照して、これらが社員情報記憶部３２２に記憶されたものと一致するか否かを判断する（ステップＳ１０４）。ここで、全て一致したら（ステップＳ１０４のＹＥＳ）、ユーザが認証されたとして、ログインを許可する（ステップＳ１１８）。
【００７１】
一方、ステップＳ１０４でＮＯとなり、さらにステップＳ１０６で個人認証情報が一致する場合（ステップＳ１０６のＹＥＳ）、認証処理部３０４は、アダプタＩＤが不一致なのか否かを判断する（ステップＳ１２０）。ここで、アダプタＩＤが不一致の場合（ステップＳ１２０のＹＥＳ）、ＩＤ更新処理部３０６は、社員情報記憶部３２２の該当するアダプタＩＤを更新する（ステップＳ１２２）。
【００７２】
この手順を図１７を参照して説明する。
図１７（ａ）は、携帯電話端末１００のユーザがログイン要求を行う前に社員情報記憶部３２２に記憶されている情報を示す。
ここで、たとえば社員コード「ａａａ」の社員がユーザＩＤ「ａａａ」、およびパスワード「１１１１」を入力して、たとえば携帯端末ＩＤが「１００ａ」の携帯電話端末１００からログイン要求を行ったとする。また、このとき、ユーザが持っているアダプタ２００のアダプタＩＤが「１００ｄ」で、このアダプタＩＤがデータセンタ３００に送信されるとする。
【００７３】
この場合、ユーザＩＤ「ａａａ」、およびパスワード「１１１１」は、棚割情報記憶部３２０に記憶されたものと一致するが、アダプタＩＤが棚割情報記憶部３２０に記憶された「１００ｃ」と一致しない。そのため、認証処理部３０４は、図１６のステップＳ１２０で、アダプタＩＤが不一致であると判断し（ステップＳ１２０のＹＥＳ）、ＩＤ更新処理部３０６に通知する。これにより、ＩＤ更新処理部３０６は、今回送信されたアダプタＩＤ「１００ｄ」で、もともとのアダプタＩＤ「１００ｃ」を上書き更新する（ステップＳ１２２）。図１７（ｂ）は、この状態を示す図である。これにより、このユーザの個人認証情報には、アダプタＩＤ「１００ｄ」が対応付けられることになる。
【００７４】
図１６に戻り、認証処理部３０４は、携帯端末ＩＤが不一致なのか否かを判断する（ステップＳ１２４）。ここで、携帯端末ＩＤが一致している場合（ステップＳ１２４のＮＯ）、ステップＳ１１８に進み、ログインを許可する。一方、ステップＳ１２４で、携帯端末ＩＤが不一致の場合（ステップＳ１２４のＹＥＳ）、ステップＳ１０８に進み、第１の実施の形態で図５を参照して説明したのと同様の手順で処理を行う。
【００７５】
さらに、本実施の形態において、図１５を参照して説明したように、携帯電話端末１００のログイン制御部１１２は、ユーザからのログイン指示があると、アダプタ２００からアダプタＩＤを取得する。このようなログイン制御部１１２の機能は、データセンタ３００のプログラム記憶部３２４から提供されるアプリケーションプログラムにより実現することができる。そのため、たとえば携帯電話端末１００にアプリケーションプログラムがインストールされておらず、携帯電話端末１００のユーザが初回にログイン要求をした場合は、図１６のステップＳ１０６で個人認証情報が一致したことを条件に、ステップＳ１１６のプログラム送信が先に行われるようにすることもできる。
【００７６】
次に、本実施の形態における認証処理システムの効果を説明する。
本実施の形態においても、第１の実施の形態と同様の効果が得られる。また、本実施の形態において、携帯電話端末１００と同時に用いられるアダプタ２００のアダプタＩＤも得られるので、現在各ユーザが用いているアダプタ２００を把握することもできる。これにより、たとえばアダプタ２００を会社が従業員に貸し出しているような場合に、アダプタ２００の管理を行うこともできる。
【００７７】
図１に示したデータセンタ３００および図８に示した携帯電話端末１００およびアダプタ２００の各構成要素は、ハードウエア単位の構成ではなく、機能単位のブロックを示している。データセンタ３００、携帯電話端末１００、およびアダプタ２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。なお、各図において、本発明の本質に関わらない部分の構成については省略してあり、たとえば、図８で、一般的な携帯電話端末の構成であるスピーカ、マイク等は図示していない。
【００７８】
以上、図面を参照して本発明の実施形態について述べたが、これらは本発明の例示であり、上記以外の様々な構成を採用することもできる。
【００７９】
なお、以上の実施の形態では、アダプタ２００がバーコードリーダを含む例を示したが、アダプタ２００は、携帯電話端末１００との間で短距離無線通信でデータの送受信が可能に構成されていれば、バーコードリーダに限らず、他の機能を有する構成とすることができる。
以下、参考形態の例を付記する。
１．  ネットワークを介してデータの送受信が可能な第１種携帯端末からのユーザのログインを許可するための認証情報として、ユーザ個人の個人認証情報および前記第１種携帯端末の識別情報を対応付けて記憶する認証情報記憶部と、
ユーザが前記第１種携帯端末からネットワークを介してログイン要求した場合に、当該第１種携帯端末から送信された個人認証情報および当該第１種携帯端末の識別情報に基づき、前記認証情報記憶部を参照して、送信された前記個人認証情報および前記第１種携帯端末の識別情報が前記認証情報記憶部に記憶された前記個人認証情報および前記第１種携帯端末の識別情報と一致する場合に、当該ユーザのログインを許可する認証処理部と、
前記認証処理部の処理により、前記個人認証情報が一致するが前記第１種携帯端末の識別情報が一致しない場合に、前記認証情報記憶部の当該ユーザの前記個人認証情報に対応付ける前記第１種携帯端末の識別情報として、今回送信された前記第１種携帯端末の識別情報で上書き更新するＩＤ更新処理部と、
を含み、
前記認証処理部は、前記ＩＤ更新処理部により前記認証情報記憶部が更新されたことにより、前記第１種携帯端末から送信された前記個人認証情報および前記第１種携帯端末の識別情報が前記認証情報記憶部に記憶されたものと一致することになった場合に、当該ユーザのログインを許可する認証処理システム。
２．  １．に記載の認証処理システムにおいて、
前記ＩＤ更新処理部は、前記個人認証情報が一致するが前記第１種携帯端末の識別情報が一致しない場合に、当該第１種携帯端末に、当該ユーザの前記第１種携帯端末の識別情報を今回送信された前記第１種携帯端末の識別情報で上書きしてよいか否かを問い合わせ、当該第１種携帯端末から上書き許可があった場合に、前記認証情報記憶部の当該ユーザの前記個人認証情報に対応付ける前記第１種携帯端末の識別情報として、今回送信された前記第１種携帯端末の識別情報で上書き更新する認証処理システム。
３．  １．または２．に記載の認証処理システムにおいて、
情報を記憶する情報記憶部と、
前記情報記憶部から読み出した情報を前記第１種携帯端末で表示したり、当該情報記憶部に書き込むための情報を前記第１種携帯端末で取得するためのアプリケーションプログラムを記憶するプログラム記憶部と、
前記個人認証情報が一致するが前記第１種携帯端末の識別情報が一致しない場合に、当該第１種携帯端末に、前記プログラム記憶部に記憶された前記アプリケーションプログラムを提供するプログラム提供部と、
をさらに含む認証処理システム。
４．  ３．に記載の認証処理システムにおいて、
前記第１種携帯端末は、前記アプリケーションプログラムがインストールされる端末であって、
前記認証情報記憶部において、前記個人認証情報と前記第１種携帯端末の識別情報とは、１：１で対応付けられている認証処理システム。
５．  １．から４．いずれかに記載の認証処理システムにおいて、
前記第１種携帯端末は、携帯電話端末である認証処理システム。
６．  １．から５．いずれかに記載の認証処理システムにおいて、
前記認証情報記憶部は、前記第１種携帯端末とともに用いられる第２種携帯端末の識別情報も、前記個人認証情報に対応付けて記憶し、
前記認証処理部は、ユーザが前記第１種携帯端末からネットワークを介してログイン要求した場合に、当該第１種携帯端末から送信された前記個人認証情報、前記第１種携帯端末の識別情報、および前記第２種携帯端末の識別情報に基づき、前記認証情報記憶部を参照して、送信された前記個人認証情報、前記第１種携帯端末の識別情報および前記第２種携帯端末の識別情報が前記認証情報記憶部に記憶された前記個人認証情報、前記第１種携帯端末の識別情報および前記第２種携帯端末の識別情報と一致する場合に、当該ユーザのログインを許可し、
前記ＩＤ更新処理部は、前記認証処理部の処理により、前記個人認証情報が一致するが前記第２種携帯端末の識別情報が一致しない場合に、前記認証情報記憶部の当該ユーザの前記個人認証情報に対応付ける前記第２種携帯端末の識別情報として、今回送信された前記第２種携帯端末の識別情報で上書き更新し、
前記認証処理部は、前記ＩＤ更新処理部により前記認証情報記憶部が更新されたことにより、前記第１種携帯端末から送信された前記個人認証情報、前記第１種携帯端末の識別情報、および前記第２種携帯端末の識別情報が前記認証情報記憶部に記憶されたものと一致することになった場合に、当該ユーザのログインを許可する認証処理システム。
７．  ６．に記載の認証処理システムにおいて、
前記認証情報記憶部、前記認証処理部、および前記ＩＤ更新処理部が設けられたデータセンタと、
前記第１種携帯端末と、
を含み、
前記第１種携帯端末および前記第２種携帯端末は、短距離無線通信でデータの送受信が可能に構成され、
前記第１種携帯端末は、前記ネットワークを介して前記データセンタにログイン要求する際に、短距離無線通信で、前記第２種携帯端末から当該第２種携帯端末の識別情報を取得し、前記ネットワークを介して当該第２種携帯端末の識別情報を前記個人認証情報および前記第１種携帯端末の識別情報とともに前記データセンタに送信する認証処理システム。
８．  ７．に記載の認証処理システムにおいて、
前記第２種携帯端末は、携帯型バーコードリーダ端末である認証処理システム。
９．  コンピュータを、
ネットワークを介してデータの送受信が可能な第１種携帯端末からのユーザのログインを許可するための認証情報として、ユーザ個人の個人認証情報および前記第１種携帯端末の識別情報を対応付けて記憶する認証情報記憶手段、
ユーザが前記第１種携帯端末からネットワークを介してログイン要求した場合に、当該第１種携帯端末から送信された個人認証情報および当該第１種携帯端末の識別情報に基づき、前記認証情報記憶手段を参照して、送信された前記個人認証情報および前記第１種携帯端末の識別情報が前記認証情報記憶手段に記憶された前記個人認証情報および前記第１種携帯端末の識別情報と一致する場合に、当該ユーザのログインを許可する認証処理手段、
前記認証処理手段の処理により、前記個人認証情報が一致するが前記第１種携帯端末の識別情報が一致しない場合に、前記認証情報記憶手段の当該ユーザの前記個人認証情報に対応付ける前記第１種携帯端末の識別情報として、今回送信された前記第１種携帯端末の識別情報で上書き更新するＩＤ更新処理手段、
として機能させ、
前記認証処理手段は、前記ＩＤ更新処理手段により前記認証情報記憶手段が更新されたことにより、前記第１種携帯端末から送信された前記個人認証情報および前記第１種携帯端末の識別情報が前記認証情報記憶手段に記憶されたものと一致することになった場合に、当該ユーザのログインを許可する認証処理プログラム。
【符号の説明】
【００８０】
１００ 携帯電話端末
１０２ 送受信部
１０４ 表示処理部
１０６ 入力受付部
１０８ 登録部
１１０ 商品情報取得部
１１２ ログイン制御部
１２０ 棚割情報記憶部
２００ アダプタ
２０２ 電源ボタン
２０４ 電源ランプ
２０６ バーコード用ランプ
２０８ 携帯電話用ランプ
２１０ 携帯電話端末設置部
２１２ 説明図
２１４ バーコード読取窓
２２０ 非接触ＩＣカードリーダライタ
２２２ バーコードリーダ
２２４ 制御部
３００ データセンタ
３０２ 送受信部
３０４ 認証処理部
３０６ ＩＤ更新処理部
３０８ 棚割情報読出書込処理部
３１０ プログラム提供部
３２０ 棚割情報記憶部
３２２ 社員情報記憶部
３２４ プログラム記憶部
３２６ アクセス範囲設定記憶部
３５０ ネットワーク
４１０ 什器
５１６ 説明画面
【図１】
0005520108.tif 000002
【図２】
0005520108.tif 000003
【図３】
0005520108.tif 000004
【図４】
0005520108.tif 000005
【図５】
0005520108.tif 000006
【図６】
0005520108.tif 000007
【図７】
0005520108.tif 000008
【図８】
0005520108.tif 000009
【図９】
0005520108.tif 000010
【図１０】
0005520108.tif 000011
【図１１】
0005520108.tif 000012
【図１２】
0005520108.tif 000013
【図１３】
0005520108.tif 000014
【図１４】
0005520108.tif 000015
【図１５】
0005520108.tif 000016
【図１６】
0005520108.tif 000017
【図１７】
0005520108.tif 000018